(57)【要約】      （修正有）【課題】蓋がない状態で容器本体を傾けたり、落としたりしても、中身の綿棒が内部に保持しやすくして、清潔に保つことができる綿棒用容器を提供する。【解決手段】複数本の綿棒６を収納する容器１であって、底面２、側面３、蓋４、および綿棒を挿入することができる複数の孔７を有し、容器の内部に固定されている綿棒保持部５を備える。【選択図】図１
0003193099.tif 000002
【実用新案登録請求の範囲】
【請求項１】
複数本の綿棒を収納する容器であって、
綿棒を挿入することができる複数の孔を有し、前記容器の内部に固定されている綿棒保持部を備える、容器。
【請求項２】
前記複数の孔のうち、一部の孔の形状は帯状である、請求項１に記載の容器。
【請求項３】
前記複数の孔のうち、一部の孔の形状は長方形であり、かつ、前記長方形の孔は、互いに略平行に配置されている、請求項２に記載の容器。
【請求項４】
前記複数の孔が同心円状に配置されている、請求項２に記載の容器。
【請求項５】
前記綿棒保持部は、前記綿棒保持部を摩擦によって固定されている支持部を備える、請求項１から４のいずれか一項に記載の容器。
【考案の詳細な説明】
【技術分野】
【０００１】
本考案は容器、特に綿棒用容器に関する。具体的には、蓋がない状態で、容器本体を傾けても、綿棒が落ちにくい綿棒用容器に関する。
【背景技術】
【０００２】
現在、綿棒は高価格帯の綿棒と低価格帯の綿棒に二分されている。高価格帯の綿棒は、綿棒一つ一つがビニール等で包装されており、各綿棒を清潔に保っている。一方、低価格帯の綿棒は、円筒状の容器に、１００本程度収納されて販売されている。しかし、低価格帯の綿棒は、綿棒一つ一つが梱包されておらず、蓋がない状態で、容器を傾けたり、落としたりしてしまうと、中の綿棒が外に出てしまい、綿棒先端が床や地面などの不衛生な部分と接触してしまい、清潔であることが必要な用途には利用できなくなってしまう。また、綿棒の数が多い場合には、収納しなおすのに時間がかかり手間である。
【０００３】
特許文献１及び特許文献２のように、取り出し易くする結果、綿棒を清潔に保つことができる綿棒容器に関する発明はあるものの、これらの容器であっても、蓋がない状態で傾けたり、落としたりしてしまうと、綿棒は散乱し、清潔を保つことができなくなってしまうという問題点があった。  
【先行技術文献】
【特許文献】
【０００４】
【特許文献１】特開２０１２−１２６４０９号公報
【特許文献２】特開２０１２−１４４２９５号公報
【考案の概要】
【考案が解決しようとする課題】
【０００５】
本考案は、蓋がない状態で容器を傾けたり、落としたりしても、中身の綿棒が内部に保持しやすくして、清潔に保つことができる綿棒用容器を提供することを目的とする。
【課題を解決するための手段】
【０００６】
上記課題を解決するため、本考案は、複数本の綿棒を直立方向に収納する容器であって、底面と、側面と、綿棒を挿入することができる複数の孔を有し、前記容器の内部に固定されている綿棒保持部とを含む、容器を提供する。
【考案の効果】
【０００７】
上記容器であれば、比較的シンプルな構造であるにもかかわらず、蓋がない状態で容器を傾けたり、落としたりしても、中身の綿棒は散乱しにくく、綿棒を清潔に保つことができる。また、清潔を保つため、綿棒一本一本をビニールで梱包する必要もなく、製造原価を低く抑えることができる。
【図面の簡単な説明】
【０００８】
【図１】図１は、綿棒を収容した第１態様の綿棒用容器の断面図である。
【図２】図２は、第１態様の綿棒用容器に用いた綿棒保持部の上面図である。
【図３】図３は、綿棒を収容した第２態様の綿棒用容器の断面図である。
【図４】図４は、第２態様の綿棒用容器に用いた綿棒保持部の上面図である。当該綿棒保持部は、支持部を備えている。
【図５】図５は、他の形状の綿棒保持部の上面図である。この綿棒保持部は図４と異なる支持部を備えている。
【図６】図６は、他の形状の綿棒保持部の上面図である。
【図７】図７は、他の形状の綿棒保持部の上面図である。
【考案を実施するための形態】
【０００９】
以下、本考案の実施の形態について図面を参照して説明する。
【実施例】
【００１０】
（構成）  
図１で示すように、本考案の容器は、複数本の綿棒６を直立方向に収納する容器１であって、底面２と、側面３と、蓋４と、綿棒６を挿入することができる複数の孔７を備え、前記容器１の内部に固定されている綿棒保持部５とを含む容器（第１態様）である。なお、本願明細書において、用語「固定」とは、接着剤などで動かないように完全に保持されているだけでなく、動きにくい状態になっている場合も含むものとする。
【００１１】
従来の一般的に市販されている綿棒用容器と、本考案の容器１との間で大きく異なる点は、容器１の内部に綿棒保持部５を備えている点である。
【００１２】
綿棒保持部５は、綿棒６を挿入することができる複数の孔７を有している。孔７に挿入されている綿棒６は、直立の状態で保持されている。蓋４がない状態で傾けたとしても、綿棒６は、孔７に挿入されている状態が保持され、落下しにくい。
【００１３】
孔７の形状は、図２（図１で使用した綿棒保持部５の上面図である）で示すように、帯状の長方形であるが、これは特に限定されない。孔７は、容器本体２を傾けても綿棒６が落ちにくい状態にするため、孔７の長方形の短辺は、綿棒６の先端部よりも小さい方が好ましい。しかし、短辺の長さが小さすぎると、綿棒６は挿入しにくくなり、また、綿棒６を容器１から取り出しいにくくなるため、短辺の長さは、綿棒６の先端部よりも小さく、かつ挿入又は取り出し易い程度の大きさが好ましい。なお、できるだけ多くの綿棒６を容器に入れるため、孔７の数はできるだけ多い方が好ましい。しかし、孔７の数が多すぎると綿棒保持部５の強度が低下してしまうため注意が必要である。
【００１４】
本実施例の綿棒保持部５は厚手の紙を成形して得られる。材料は、紙に限定されるものではない。綿棒保持部５としては、紙、紙の積層体、樹脂、金属などが挙げられる。綿棒６を挿入又は取り出し易くするために、綿棒保持部５は柔軟な素材であることが好ましい。
【００１５】
綿棒保持部５は容器１内部で固定されている。本実施例では、綿棒保持部５の周囲を容器１の側面３に接着剤で固定している。
【００１６】
図３は、本考案の容器の別の態様（第２態様）の実施例である。図２の容器１は、綿棒保持部５は、支持部８、・・・で保持されている。
【００１７】
図４で示すように、支持部８、・・・は、綿棒保持部５と一体物として成形し、８つの支持部８、・・・を、綿棒保持部５との境界付近（図４の破線部分）で折り曲げて、容器１の内部に挿入し、容器との摩擦により固定する。このようにすることで、接着剤を使用しなくても固定できる。
【００１８】
図５は、別の態様の綿棒保持部５と支持部８の一体物である。このように支持部８・・・は、大きさ、数などを適宜変更することができる。
【００１９】
図６は、別の態様の綿棒保持部５の上面図である。図６の綿棒保持部５は、帯状の孔７が同心円状に配置する構成を有している。このように孔７を形成することにより、多くの綿棒６を容器１に収納することができる。
【００２０】
図７は、さらに別の態様の綿棒保持部５の上面図である。図７の綿棒保持部５の孔７は、切込み状であり、その切込みが、千鳥状に配置されている。孔７が切込み状の形状であっても、強度が高く、かつ柔軟性のある素材を綿棒保持部５に用いれば、綿棒６を適切に保持できる。
【００２１】
なお、図示しないが、さらに別の態様として、綿棒保持部５と、支持部８とを別々に作成し、綿棒保持部５と、支持部８とを接着剤などで結合してから、容器１に備えることができる。この場合、支持部８として、綿棒保持部５の円周の長さとほぼ同じ長さの長辺を有する長方形の紙や樹脂等のシートを、２つの短辺が重なるように円筒状に形成し、この円筒状の支持部８を綿棒保持部５の外周に沿うように設置し、支持部８と綿棒保持部５とを結合することもできる。
【００２２】
（効果）
次に本考案の効果について詳細に説明する。
【００２３】
［１］  複数本の綿棒６を収納する容器であって、綿棒６を挿入することができる複数の孔７を有し、容器の内部に固定されている綿棒保持部５を備える容器は、比較的シンプルな構造であるにもかかわらず、蓋４がない状態で容器を傾けたり、落としたりしても、中身の綿棒６は散乱しにくく、綿棒６を清潔に保つことができる。また、清潔を保つため、綿棒６の一本一本をビニールで梱包する必要もなく、製造原価を低く抑えることができる。従来からある綿棒６を直立方向に収納する容器に、付加的に構造がシンプルな綿棒保持部５を設けることで、製造原価を低価格に抑えながら、落下により綿棒６の散乱を防ぎ、不潔になった綿棒６を廃棄する必要がなくなる。
【００２４】
［２］  前記複数の孔７のうち、一部の孔７の形状が帯状であれば、綿棒６を容器にセットすることが容易にできるようになり、また、挿入している綿棒６が落下しにくくなる。
【００２５】
［３］  前記複数の孔７のうち、一部の孔７の形状は長方形であり、かつ、前記長方形の孔７は、互いに略平行に配置されている場合は、綿棒６を容器内に充填しやすく、また、孔７の形成も容易である。
【００２６】
［４］  前記複数の孔７が同心円状に配置されている場合は、綿棒６を極めて密に容器内に充填することができる。
【００２７】
［５］  綿棒保持部５は、前記綿棒保持部５を摩擦によって固定する支持部８を備えている場合は、接着剤を用いなくとも綿棒保持部５を固定することができる。
【００２８】
以上、図面を参照して、本考案の実施例を詳述してきたが、具体的な構成はこの実施例に限らず、本考案の要旨を逸脱しない程度の設計的変更は、本考案に含まれる。
【符号の説明】
【００２９】
１            本考案の綿棒容器
２            底面
３            側面
４            蓋
５            綿棒保持部
６            綿棒
７            孔
８            支持部
【図１】
0003193099.tif 000003
【図２】
0003193099.tif 000004
【図３】
0003193099.tif 000005
【図４】
0003193099.tif 000006
【図５】
0003193099.tif 000007
【図６】
0003193099.tif 000008
【図７】
0003193099.tif 000009